(57)【要約】【課題】  本願発明は、水車装置に係り、特に小水流においても高いトルクを得ることができ、水路の除塵装置としても利用できる水車装置を提供すること、を目的としている。【解決手段】  水路の流れに沿って段差が形成され、該段差部の下段に配設される水車装置１であって、横架される水車軸２Ａに、管状バースクリーン３の中空軸３Ａが外嵌され、軸受部において水車軸２Ａと中空軸３Ａ間に、逆転伝動手段４が介在されて、水車軸２Ａの回転力で、管状バースクリーン３が逆回転させられる、水車装置１。【選択図】  図２
2010190139.tif 000002
【特許請求の範囲】
【請求項１】
水路の流れに沿って段差が形成され、該段差部の下段に配設される水車装置であって、横架される水車軸に、管状バースクリーンの中空軸が外嵌され、軸受部において水車軸と中空軸間に逆転伝動手段が介在されて、水車軸の回転力で、管状バースクリーンが逆回転させられること、を特徴とする水車装置。
【請求項２】
前記逆転伝動手段は、遊星歯車が使用されること、を特徴とする請求項１に記載された水車装置。
【請求項３】
前記水車軸には、複数の水車羽根が配設されていること、を特徴とする、請求項１に記載された水車装置。  
【請求項４】
前記管状バースクリーンの下流側外部に、管状バースクリーンが掻上げた塵を受ける塵挨受が配設されること、を特徴とする請求項１に記載された水車装置。
【発明の詳細な説明】
【技術分野】
【０００１】
本願発明は、水車装置に係り、特に小水流においても高いトルクを得ることができ、水路の除塵装置としても利用できる水車装置に関する。
【背景技術】
【０００２】
従来、動力用の水車は、例えば直径の大きな円盤に水桶を環状に形成して、高い位置に設けた水樋から、水を落下させているのが一般的である。
また水路の塵を除去するために、水路を横断するように設ける、例えば特許文献１のような除塵装置が知られている。
【先行技術文献】
【特許文献】
【０００３】
【特許文献１】特開２００６−３４２５４４号公報
【発明の概要】
【発明が解決しようとする課題】
【０００４】
従来の水車によると、水車の幅が狭く、水桶が小さいので、大きなトルクを得るには困難がある。また水車で水路を流下する塵挨を除去することはできない。
【課題を解決するための手段】
【０００５】
この発明は、ある程度の幅のある、水深の浅い水路に配設して、大きなトルクが得られ、或いは、水路を流下する塵挨の除去も可能な水車装置を、提供することを目的としている。
発明の具体的な内容は次の通りである。
【０００６】
（１）水路の流れに沿って段差が形成され、該段差部の下段に配設される水車装置であって、横架される水車軸に管状バースクリーンの中空軸が外嵌され、軸受部において、水車軸と中空軸間に逆転伝動手段が介在されて、水車軸の回転力で管状バースクリーンが逆回転させられる、水車装置。
【０００７】
（２）  前記伝動手段は、遊星歯車が使用されること、を特徴とする請求項１に記載された水車装置。
【０００８】
（３）  前記水車軸には、複数の水車羽根が配設されている、前記（１）に記載された水車装置。  
【０００９】
（４）  前記管状バースクリーンの下流側外に、管状バースクリーンが掻上げた塵を受ける、塵挨受が配設される、前記（１）に記載された水車装置。
【発明の効果】
【００１０】
本発明によると次のような効果がある。
【００１１】
（１）  請求項１に記載された発明の水車装置は、水路の上下流で段差が形成され、該下段に配設される水車装置なので、水路の幅方向に水車軸を横架すると、水路上流から流下する水流によって水車が回転する。該水車軸の回転に伴い、管状バースクリーンの中空軸が、軸受部における逆転伝動手段を介して逆転するので、水路に流れて来る塵埃は、管状バースクリーンの外周面に付着して回転して、水路の下流側に塵埃を送り出すので、水車に塵埃などが引掛って、回転を停止させるような事故が生じない。
【００１２】
（２）  請求項２に記載された発明の水車装置は、水車軸と管状バースクリーンの中空軸との間に遊星歯車が介在されたので、水車軸が回転すると、遊星歯車を介して中空軸が容易に逆転回転する。
【００１３】
（３）  請求項３に記載された発明の水車装置は、水車軸には、放射方向を向く複数の羽根が配設されているので、水路の水流は羽根を下方に押し下げて水車を回転させる。  
【００１４】
（４）  請求項４に記載された発明の水車装置は、管状バースクリーンの下流側外に、管状バースクリーンが掻上げた塵挨を受ける、塵挨受が配設されているので、水車が回転しているときは、人的動力を使用することなく、水路の塵埃を容易に回収することができる。
【図面の簡単な説明】
【００１５】
【図１】本発明に係る水車装置の要部側面図である。
【図２】本発明に係る水車装置の要部正面図である。
【発明を実施するための形態】
【００１６】
水車の外面に管状バースクリーンを外嵌配設し、水車軸の回転力を利用して管状バースクリーンを逆回転させて、水路の流下塵埃を管状バースクリーンで回収する。
【実施例１】
【００１７】
この発明の実施例１を、図面を参照して説明する。図１は本願発明に係る水車装置の要部側面図、図２は水車装置の要部正面図である。
図において水車装置１は、水路７の上流側よりも下流側を一段低く段差させた段差部７Ａに、図示しない任意の支持体で、水路幅方向へ横架される。
【００１８】
水車装置１は、主部を水車２と、管状バースクリーン３と、逆転伝動手段４とで構成されている。
水車２は、水車軸２Ａに支持体２Ｂを介して、ドラム２Ｃが外嵌固定され、ドラム２Ｃの外周面に、放射方向を向くように、複数の水車羽根２Ｄが裝着されている。図中符号２Ｅは円盤状の側板である。
【００１９】
水車２の左右の支持体２Ｂ外側に、回転軸受５を介して、管状バースクリーン３の中空軸（出力軸）３Ａが、配設されている。各中空軸（出力軸）３Ａには、水車２の側板２Ｅよりも径の大きな側板３Ｂが配設され、左右側板３Ｂの外周面に、バースクリーン３が管状に固定されている。図中符号３Ｃは支持体である。
【００２０】
前記逆転伝動手段４は、ケース４Ａの中に、前記水車２の水車軸（主軸）２Ａ先端部と、管状バースクリーン３の中空軸（出力軸）３Ａが支持されており、これに水車軸２Ａの力を中空軸３Ａに伝える、逆転伝動歯車４Ｂが配設されている。
【００２１】
前記逆転伝動歯車４Ｂは、固定歯車４Ｃ、遊星歯車４Ｅ、出力歯車４Ｆ等から構成され、図２において水車軸２Ａに、遊星キヤリア４Ｄのクランクアーム４ｄが固定され、該遊星キヤリア４Ｄを介して、遊星歯車４Ｅが左右に軸支されている。遊星歯車４Ｅの一は、前記固定歯車４Ｃに歯合されている。
【００２２】
前記遊星歯車４Ｅの他の一は、水車軸（主軸）２Ａに回転可能に配設された出力歯車４Ｆと歯合されていて、該出力歯車４Ｆは、中空軸３Ａに固定されていて共動する。図中符号４Ｇは、遊星キヤリア４Ｄの回転慣性を与えるバランスウエイト、４Ｈはスプロケット、４Ｊは減速機である。
【００２３】
これによって、水車軸２Ａが回転すると、クランクアーム４ｄを介して遊星キヤリア４Ｄが回転し、固定歯車４Ｃに沿って移動する遊星歯車４Ｅの回転は、同軸の他の遊星歯車４Ｅを介して、中空軸（出力軸）３Ａを水車軸（主軸）２Ａとは逆向きに回転させる。
【００２４】
図１において、水車装置１を水路７の段差部の下段側に、上段側から流下する水流Ｗがあたるように、任意の支持体で支持配設し、水車装置１の下流側に、塵挨受６を任意の支持体で配設する。
【００２５】
これによって、水路７を流下する水流Ｗが、水車２の水車羽根２Ｄにあたると、水流の流速力と重力により水車羽根２Ｄ、水車軸２Ａが図における反時計回りに回転する。同時に固定歯車４Ｃが回転して、遊星歯車４Ｅを介して出力歯車４Ｆと中空軸３Ａが逆回転をするので、管状バースクリーン３は、図１において時計回りの回転をする。
【００２６】
水流Ｗによって小枝、ゴミなど塵埃が流下されてきた時、塵埃は回転している
管状バースクリーン３によって掬いあげられて、下流側外部における塵埃受６に受けることができる。
【００２７】
これによって、小枝、ゴミなど塵埃が水車羽根２Ｄに引掛かり、水車２を停止させ、或いは故障させることが防止される。
同時に、水路７に流下する塵埃を、人的動力が無くても効果的に回収することができる。
水車軸２Ａの端部におけるスプロケット４Ｈを介して、例えば発電機を連結させておけば、水力発電をすることができる。
【００２８】
なおこの発明は、実施例に限定されるものではなく、目的に沿って適宜設計変更をすることができる。
【産業上の利用可能性】
【００２９】
この発明は、水車とバースクリーンとの組合わせなので、水車の回転力で発電等をすると同時に、人的動力を使用せずに水路の塵埃を、容易に回収除去することができる。
【符号の説明】
【００３０】
１．水車装置
２．水車
２Ａ．水車軸（主軸）
２Ｂ．支持体
２Ｃ．ドラム
２Ｄ．水車羽根
２Ｅ．側板
３．バースクリーン
３Ａ．中空軸（出力軸）
３Ｂ．側板
３Ｃ．支持体
４．逆転伝動手段
４Ａ．ケース
４Ｂ．逆転伝動歯車
４Ｃ．固定歯車
４Ｄ．遊星キヤリア
４Ｅ．遊星歯車
４Ｆ．出力歯車
４Ｇ．バランスウエイト
４Ｈ．スプロケット
４Ｊ．減速機
５．軸受
６．塵埃受
７．水路
７Ａ．段差部
Ｗ．水流
【図１】
2010190139.tif 000003
【図２】
2010190139.tif 000004